(57)【特許請求の範囲】
【請求項１】
水受け槽と、前記水受け槽に水道水を給水する流水口を有する給水弁と、風呂水を吸水し前記水受け槽に給水するための、前記給水弁から供給される水道水を呼び水として導入する呼び水口を有する風呂水ポンプと、前記水受け槽に水道水を給水するための注水経路を形成した注水支持部材とを備え、前記注水経路は、前記注水経路に前記風呂水ポンプの前記呼び水口および前記給水弁の前記流水口を接続する差込口と、前記流水口から供給された水を前記水受け槽内に導く後方から前方にかけて下方傾斜した底面と、前記流水口から供給された水の流量を制御するリブと、前記リブと前記注水経路の底面および上面との間にそれぞれ形成された第１の開口部と第２の開口部とを有し、前記第１の開口部と前記第２の開口部は前記流水口および前記呼び水口をそれぞれ接続する差込口と前記リブの上流側で連通する構成の洗濯機。
【請求項２】
前記第１の開口部の面積を前記第２の開口部の面積よりも小さくしたことを特徴とする請求項１記載の洗濯機。
【請求項３】
前記第１の開口部の面積を前記流水口の面積よりも小さくしたことを特徴とする請求項１または２に記載の洗濯機。
【請求項４】
前記呼び水口を接続する差込口の最下端を、前記流水口を接続する差込口の最下端より高い位置に設けたことを特徴とする請求項１から３に記載の洗濯機。
【請求項５】
前記リブの上端位置を前記呼び水口の最下端の位置より高くしたことを特徴とする請求項４記載の洗濯機。
【発明の詳細な説明】
【技術分野】
【０００１】
本発明は、水道水および風呂水を洗濯槽内に注ぐ洗濯機に関するものである。
【背景技術】
【０００２】
従来、洗濯機の注水支持部材への風呂水ポンプの連結方法は、可撓性を有するゴムやプラスチック材で構成された注水ホースにて連結をしていた。（例えば、特許文献１参照）。
【０００３】
図３は一般的な従来の全自動洗濯機を示したもので、以下その構成について説明する。
【０００４】
水受け槽１は、底部にパルセータ２を回転自在に配設した洗濯兼脱水槽３を内包し、吊り棒４によって外枠５に吊り下げられている。外枠５の上部に上部外装体６を装着し、上部外装体６の略中央部に布投入口７を形成し、蓋８で覆っている。
【０００５】
また、上部外装体６の後部には、給水弁１３に連通する注水装置１１を装着している。
【０００６】
前記注水装置１１は、図３の分解斜視図に示すように、円筒状の防水用のゴムパッキン１２を介して給水弁１３の円筒形の流水口１４を挿入する差込口１５を設け、水密的に連結する。
【０００７】
また、風呂水ポンプ１６とは可撓性を有するゴムやプラスチック材で構成された注水ホース１７にて注水装置１１の注水ホースを挿入する差込口１８を設け連結している。
【先行技術文献】
【特許文献】
【０００８】
【特許文献１】特開２００８−０６７９０３号公報
【発明の概要】
【発明が解決しようとする課題】
【０００９】
しかしながら、このような従来の構成では、注水ホースのスペースを削減し省スペース化を実現するために、風呂水ポンプと給水弁を注水装置に注水ホースを用いずにダイレクトに接続することが難しく、例えば、水道水圧が高く給水流量が多い場合には、風呂水ポンプの呼び水口に流入する水の勢いが強くなり、風呂水ポンプの吸水口から水が溢れ出したり、水道水圧が低く給水流量が少ない場合には、風呂水ポンプ内に十分な呼び水を溜めることができず、風呂水ポンプが風呂水を吸水せず風呂水ポンプから水受け槽に給水できなくなってしまうといった不具合が生じていた。
【００１０】
本発明は、上記従来の課題を解決するもので、水道水圧や給水流量に左右されず安定して風呂水ポンプ内に呼び水を供給することができると共に、風呂水ポンプの吸水口からの水溢れを防止することを目的としている。
【課題を解決するための手段】
【００１１】
本発明は上記目的を達成するために、本発明の洗濯機は、水受け槽と、前記水受け槽に
水道水を給水する流水口を有する給水弁と、風呂水を吸水し前記水受け槽に給水するための、前記給水弁から供給される水道水を呼び水として導入する呼び水口を有する風呂水ポンプと、前記水受け槽に水道水を給水するための注水経路を形成した注水支持部材とを備え、前記注水経路は、前記注水経路に前記風呂水ポンプの前記呼び水口および前記給水弁の前記流水口を接続する差込口と、前記流水口から供給された水を前記水受け槽内に導く後方から前方にかけて下方傾斜した底面と、前記流水口から供給された水の流量を制御するリブと、前記リブと前記注水経路の底面および上面との間にそれぞれ形成された第１の開口部と第２の開口部とを有し、前記第１の開口部と前記第２の開口部は前記流水口および前記呼び水口をそれぞれ接続する差込口と前記リブの上流側で連通する構成の洗濯機としたものである。
【００１２】
これにより、水道水圧や給水流量に左右されず安定して風呂水ポンプ内に呼び水を供給することができると共に、風呂水ポンプの吸水口からの水溢れを防止することができる。
【００１３】
また、注水ホースのスペースが削減できるため、省スペース化を実現できる。
【発明の効果】
【００１４】
本発明の洗濯機は、水道水圧や給水流量に左右されず安定して風呂水ポンプ内に呼び水を供給することができると共に、風呂水ポンプの吸水口からの水溢れを防止することができる。
【図面の簡単な説明】
【００１５】
【図１】本発明の実施の形態１の洗濯機の注水支持部材の分解斜視図
【図２】本発明の実施の形態１の洗濯機の注水支持部材の断面図
【図３】従来の洗濯機の縦断面図
【図４】従来の洗濯機の給水装置の分解斜視図
【発明を実施するための形態】
【００１６】
第１の発明は、水受け槽と、前記水受け槽に水道水を給水する流水口を有する給水弁と、風呂水を吸水し前記水受け槽に給水するための、前記給水弁から供給される水道水を呼び水として導入する呼び水口を有する風呂水ポンプと、前記水受け槽に水道水を給水するための注水経路を形成した注水支持部材とを備え、前記注水経路は、前記注水経路に前記風呂水ポンプの前記呼び水口および前記給水弁の前記流水口を接続する差込口と、前記流水口から供給された水を前記水受け槽内に導く後方から前方にかけて下方傾斜した底面と、前記流水口から供給された水の流量を制御するリブと、前記リブと前記注水経路の底面および上面との間にそれぞれ形成された第１の開口部と第２の開口部とを有し、前記第１の開口部と前記第２の開口部は前記流水口および前記呼び水口をそれぞれ接続する差込口と前記リブの上流側で連通することにより、水道水圧や給水流量に左右されず安定して風呂水ポンプ内に呼び水を供給することができると共に、風呂水ポンプの吸水口からの水溢れを防止することができる。また、注水ホースのスペースが削減できるため、省スペース化を実現できる。
【００１７】
第２の発明は、特に第１の発明の第１の開口部の面積を、前記第２の開口部の面積よりも小さくしたことにより、より確実に風呂水ポンプ内に呼び水を供給することができると共に、水道水圧が高く給水流量が多い場合に、風呂水ポンプの吸水口から水が溢れるのを安定的に防止することができる。
【００１８】
第３の発明は、特に第１または第２の発明の第１の開口部の面積を、前記流水口の面積よりも小さくしたことにより、水道水圧が低く給水流量が少ない場合に、風呂水ポンプ内へより安定して呼び水を供給することができる。
【００１９】
第４の発明は、特に第１から第３の発明の呼び水口を接続する差込口の最下端を、前記流水口を接続する差込口の最下端より高い位置に設けたことにより、風呂水ポンプの吸水口からの水溢れを確実に防止することができる。
【００２０】
第５の発明は、特に第４の発明のリブの上端位置を、前記呼び水口の最下端の位置より高くしたことにより、風呂水ポンプ内へ確実に呼び水を供給できる。
【００２１】
以下、本発明の実施の形態について、図面を参照しながら説明する。なお、従来例と同じ構成のものは同一符号を付して説明を省略する。また、この実施の形態によって本発明が限定されるものではない。
【００２２】
（実施の形態１）
図１は本発明の第１の実施の形態における洗濯機の注水支持部材の分解斜視図である。
【００２３】
図１に示すように注水支持部材１９は、プラスチック成型品で構成される注水部材であり、その注水経路２０には水道水を供給する給水弁２２と、風呂水を吸水し供給する風呂水ポンプ２７とが接続されている。注水支持部材１９に形成された略ロの字形状の注水経路２０より、水道水および風呂水を水受け槽１内に注水する。
【００２４】
給水弁２２は水受け槽１に水道水を給水する流水口２３を有しており、風呂水ポンプ２７が風呂水を吸水し水受け槽１に給水を行うために、給水弁２２から水道水を呼び水として風呂水ポンプ２７の呼び水口２８に注水経路２０を介して供給するようになっている。
【００２５】
また、風呂水ポンプ２７内に呼び水が充満すると、吸水口３９から風呂水を吸水し吐出口２９から注水経路２０を経て、水受け槽１に風呂水の給水を行う。
【００２６】
ここで、注水支持部材１９には、注水経路２０と給水弁２２の流水口２３とを接続する差込口２４を設け、水密的に接続できるように円筒状の防水用のゴムパッキン２１を介して接続するように構成している。なお、差込口２４は、注水経路２０に導通するとともに注水経路２０の側壁に略垂直方向に形成する。
【００２７】
さらに、注水支持部材１９には、注水経路２０と風呂水ポンプ２７の呼び水口２８および吐出口２９とを接続する差込口３０、３１を設け、水密的に接続できるように円筒状の防水用のゴムパッキン２５、２６を介して接続するように構成している。なお、差込口３０、３１は、注水経路２０に導通するとともに注水経路２０の側壁に、差込口２４とは反対側即ち対向する側に略垂直方向に形成する。さらに風呂水ポンプ２７の呼び水口２８と給水弁２２の流水口２３とをほぼ向かい合う位置に固定する。流水口２３と呼び水口２８とを注水経路２０を介し向かい合うよう対向する位置に接続することで、給水弁２２から給水された水道水が呼び水として効率よく風呂水ポンプ２７内に供給できる。
【００２８】
注水支持部材１９と風呂水ポンプ２７とを固定するために、風呂水ポンプ２７に取付けフランジ３２を形成し、注水支持部材１９側には、取付けフランジ３２に対応する位置にボス３３を設け、呼び水口２８と吐出口２９をゴムパッキン２５、２６を介して差込口３０、３１に挿入し、さらに、風呂水ポンプ２７の取り付けフランジ３２に防振用のゴム部材３４を介して、ねじ３５にて固定する。この時のねじ３５を固定する方向はゴムパッキン２５、２６を差込口３０、３１に挿入する方向と略同方向になるように構成している。これにより、ゴムパッキン２５、２６は確実に挿入、固定されることになる。
【００２９】
また、注水支持部材１９と給水弁２２とを固定するために、給水弁２２に取付けフランジ３６を形成し、注水支持部材１９側には、取付けフランジ３６に対応する位置にボス３７を設け、流水口２３をゴムパッキン２１を介して差込口２４に挿入後、ねじ３８にて固定する。
【００３０】
以上のように、風呂水ポンプ２７と、注水支持部材１９とは、ねじ３５にてねじ止めされているので、注水支持部材１９と風呂水ポンプ２７が外れることはない。また、ゴム部材３４を介してねじ止めされているため、風呂水ポンプ２７の動作振動を低減し静音化することができる。
【００３１】
また、ねじ３５を固定する方向はゴムパッキン２５、２６を差込口３０、３１に挿入する方向と同方向に構成しているため風呂水ポンプの取り付けバラツキが生じることがなくなり、ゴムパッキンのしめ代を平易な作業で確実に安定させることができる。
【００３２】
また、給水弁２２と、注水支持部材１９とは、ねじ３８にて固定されているので、注水支持部材１９と給水弁２２が外れることはない。
【００３３】
さらに、風呂水ポンプ２７の呼び水口２８と給水弁２２の流水口２３とをほぼ向かい合う位置に配設したことにより、前後方向に並べて配設した場合に比べ、奥行きスペースを小さくすることが可能となる。また、上下方向に重なるように配設した場合に比べ、洗濯機の高さを低くすることが可能となる。また、風呂水ポンプ２７内へ呼び水を満たすために必要となる距離を短くすることができ、水道水の給水流量の変動によらず呼び水の水量を確実に確保できるようになる。
【００３４】
図２は、同洗濯機の注水支持部材の断面図である。
【００３５】
図２に示すように、注水支持部材１９の注水経路２０内において、流水口２３から供給された水を水受け槽１内に導くため、注水経路２０の底面４０は外枠５の後方から前方にかけて下方傾斜した傾斜面となっている。
【００３６】
給水弁２２の流水口２３と接続する差込口２４の下流側の近傍には、流水口２３から供給された水の流量を制御するため、注水経路２０内の上下方向にリブ４６を形成し、リブ４６と注水経路２０の傾斜面の底面４０との間に第１の開口部４１を、リブ４６と注水経路２０の上面４２との間に第２の開口部４３をそれぞれ形成している。第１の開口部４１と第２の開口部４３は、流水口２３および呼び水口２８をそれぞれ接続する差込口２４および差込口３０と上流側で連通している。
【００３７】
また、呼び水口２８を接続する差込口３０の最下端は、流水口２３を接続する差込口２４の最下端より高い位置に設けており、流水口２３から供給された水は、差込口２４を経て、第１の開口部４１、第２の開口部４３、呼び水口２８を接続する差込口３０にそれぞれ流れるように連通している。
【００３８】
第１の開口部４１の面積Ａ（ｍｍ2）は、第２の開口部４３の面積Ｂ（ｍｍ2）よりも小さく設定している（Ａ＜Ｂ）。さらに第１の開口部４１の面積Ａ（ｍｍ2）は給水弁２２の流水口２３の面積Ｃ（ｍｍ2）よりも小さく設定をしている（Ａ＜Ｃ）。
【００３９】
また、リブ４６の上端部４５の位置は、風呂水ポンプ２７の呼び水口２８の最下端よりも高い位置に設定している。
【００４０】
以上のように構成した洗濯機について、その動作、作用を説明する。
【００４１】
給水弁２２を動作させると、給水弁２２から供給された水は差込口２４を経て、注水経路２０の後壁とリブ４６に囲まれた空間４４に流れ出る。この流れ出た水はさらに第１の開口部４１から傾斜した底面４０に沿って流れ出るが、第１の開口部４１の面積Ａ（ｍｍ2）は、給水弁２２の流水口２３の面積Ｂ（ｍｍ2）より小さく設けているため（Ａ＜Ｂ）、第１の開口部４１からの流出量より流水口２３からの流入量が多くなり空間４４内部は水で満たされ水位が上昇する。
【００４２】
上昇した水は、給水弁２２の流水口２３よりも高い位置に配設した風呂水ポンプ２７の呼び水口２８まで到達し、差込口３０および呼び水口２８を経由し風呂水ポンプ２７内部に呼び水として流入する。
【００４３】
さらに水位が上昇する場合は、リブ４６の上端部４５から水がオーバーフローし、第２の開口部４３から流れ出す。
【００４４】
このとき、第１の開口部４１の面積Ａ（ｍｍ2）の大きさは、給水弁２２の給水流量の最小時（例えば３Ｌ／ｍｉｎ）において風呂水ポンプ２７内に最低限必要とする呼び水量が溜まるような開口面積に設定しておくことで、水道水圧が低く給水流量が少ない場合にも、風呂水ポンプ２７に呼び水を溜めることができる。
【００４５】
また、水道水圧が高く給水流量が多い場合、風呂水ポンプ２７内へ入る呼び水より多い水量については、第２の開口部４３から注水経路２０内へオーバーフローさせ、傾斜した底面４０に沿って水受け槽１へ排出するので、風呂水ポンプ２７の吸水口３９から水が溢れ出すことはない。
【００４６】
また、第１の開口部４１は、注水経路２０の傾斜した底面４０に沿って形成したので、流水口２３から供給された水は確実に注水経路２０から排出され、空間４４の内部に残水として滞留することはない。
【産業上の利用可能性】
【００４７】
以上のように、本発明にかかる洗濯機は、水道水圧や給水流量に左右されず安定して風呂水ポンプ内に呼び水を供給することができると共に、風呂水ポンプの吸水口からの水溢れを防止することが可能となるので、水道水および風呂水を利用する機器に適用できる。
【符号の説明】
【００４８】
１９  注水支持部材
２０  注水経路
２２  給水弁
２３  流水口
２４、３０、３１  差込口
２７  風呂水ポンプ
２８  呼び水口
２９  吐出口
４０  底面
４１  第１の開口部
４２  上面
４３  第２の開口部
４６  リブ
【図１】
0005884012.tif 000002
【図２】
0005884012.tif 000003
【図３】
0005884012.tif 000004
【図４】
0005884012.tif 000005